(57)【特許請求の範囲】
【請求項１】
少なくとも一つのカーテン（１４）と、
前記カーテン（１４）の開閉のために前記カーテン（１４）が移動できるように前記カーテン（１４）を支えるための多くの支持線（１２）と、
前記カーテン（１４）の断面内に組み入れられ、前記カーテン（１４）を含む平面内において、前記支持線（１２）の方向に対して垂直方向である前記カーテン（１４）の長手方向に直線状に配列されており、長手方向に沿ってそれぞれ自由に動くことができる多くの懸垂線（２６）と、
前記支持線（１２）に通され、前記懸垂線（２６）を保持し、前記カーテン（１４）を吊り下げることが可能な一つ以上のコネクター（１５）と、を有し、
二つ以上の前記支持線（１２）間で所望の前記カーテン（１４）の張りを達成するために少なくとも幾つかの前記支持線（１２）間で前記支持線（１２）の方向に対して垂直方向に前記懸垂線（２６）を引っ張り、前記懸垂線（２６）は、前記カーテン（１４）の長手方向に沿って、前記コネクター（１５）が有するループ穴（１９a)を通って自由に動くことが可能で、
前記コネクター（１５）のうちの少なくとも幾つかが、前記懸垂線（２６）をロック可能であることを特徴とする大きい表面を覆う装置。
【請求項２】
少なくとも一つのカーテン（１４）を有し、
前記カーテン（１４）の開閉のために前記カーテン（１４）が移動できるように前記カーテン（１４）を支えるための多くの支持線（１２）を有し、
前記カーテン（１４）の断面内に組み入れられ、前記カーテン（１４）を含む平面内において、前記支持線（１２）の方向に対して垂直方向である前記カーテン（１４）の長手方向に直線状に配列されており、長手方向に沿ってそれぞれ自由に動くことができる多くの懸垂線（２６）を有し、
前記支持線（１２）に通され、前記懸垂線（２６）を保持し、前記カーテン（１４）を吊り下げることが可能な一つ以上のコネクター（１５）と、を有し、
前記懸垂線（２６）が、前記コネクター（１５）に対して動けるように前記懸垂線（２６）を前記コネクター（１５）が有するループ穴（１９a）に通し、
前記支持線（１２）における前記コネクター（１５）を使用して前記カーテン（１４）の断面内に組み入れられた前記懸垂線（２６）を保持し、前記カーテン（１４）を吊り下げ、及び/又は、
前記支持線（１２）に通された前記コネクター（１５）と共に前記支持線（１２）上に前記カーテン（１４）を置き、
二つ以上の前記支持線（１２）間で所望の前記カーテン（１４）の張りを達成するために少なくとも二つの前記支持線（１２）間で前記支持線（１２）の方向に対して垂直方向に前記懸垂線（２６）を引っ張り、
前記懸垂線（２６）を伸張状態で、少なくとも幾つかの前記コネクター（１５）にロック可能であることを特徴とする大きい表面を覆う装置を組み立てる方法。
【請求項３】
各前記コネクター（１５）は、弾性的に曲げることができる一つのノッチ形状の脚（１６）を有するフック（１５）を有し、
前記ノッチ形状の脚（１６）は、第一の開位置及び第二の閉位置を持つように形成され、
前記第一の開位置では、前記懸垂線（２６）が、前記フックの開ループ（１９）の中に挿入され、
前記第二の閉位置では、前記懸垂線（２６）の単一部片が、その長さ方向に自由に動くことができ、前記懸垂線（２６）の二つ以上の部片が挿入される時、前記懸垂線（２６）は前記コネクター（１５）にしっかりと取り付けられることを特徴とする請求の範囲第１項に記載される装置。
【請求項４】
前記懸垂線（２６）が挿入される前記フック（１９）のループ（１９ａ）は、その開位置においてその閉位置よりも大きい面積を持ち、寸法決めされ、
前記懸垂線（２６）の幾つかの部片を挿入する際、前記懸垂線（２６）の前記部片は、圧縮を受け及び／又は閉じた領域内に留められることを特徴とする請求の範囲第３項に記載される装置。
【請求項５】
各前記コネクター（１５）は、弾性的に曲げることができる一つのノッチ形状の脚を有し、
前記ノッチ形状の脚（１６）は、第一の開位置を持つように形成され、
前記第一の開位置では、前記カーテン（１４）の断面内に組み入れられた前記懸垂線（２６）と共に、前記カーテン（１４）の断面内に組み入れられた前記懸垂線（２６）が、前記フック（１５）の開ループ（１９）の中に挿入され、
前記フックの開き得る前記ループ（１９）は、その内側に留め部材（２８）を有し、
前記留め部材（２８）の間で前記懸垂線（２６）が、前記ループ（１９）の前記開位置で挿入可能であり、
前記懸垂線（２６）は、前記ループ（１９）の閉位置において前記留め部材（２８）の間で留められることを特徴とする請求の範囲第１項に記載される装置。
【請求項６】
前記コネクター（１５）は、懸垂線（２６）が一方向に引っ張られる時は前記懸垂線（２６）をロックし、前記懸垂線（２６）が逆方向に引っ張られる時は前記懸垂線（２６）を解放するよう配置された少なくとも一つのセルフロック要素を有することを特徴とする請求の範囲第１項に記載される装置。
【請求項７】
前記懸垂線（２６）は、滑らかな面を持つ高抗張力材料、好ましくは例えばＰＶＣのような軟いポリマー、又は、例えばポリエステル、金属もしくはそれらの類似物のようなより高い弾性係数の材料の糸もしくはストリップで強化された低密度ポリエチレン線で作られていることを特徴とする請求の範囲第１項から第６項のいずれか一つに記載される装置。
【請求項８】
前記懸垂線（２６）は、平らなストリップ形状の横断面を持ち、その幅は前記カーテン（１４）の前記ストリップ（２１）のそれより幾分小さいことを特徴とする請求の範囲第７項に記載される装置。
【請求項９】
前記懸垂線（２６）は、前記コネクター（１５）の中で自由に動くことができ、
前記コネクター（１５）のうちの少なくとも幾つかは、取り付けられたストッパー（３０）によりそれぞれの前記懸垂線（２６）をロック可能であり、前記ストッパー（３０）は、長さ方向に引っ張られた懸垂線（２６）に取り付け可能であることを特徴とする請求の範囲第１項に記載される装置。
【請求項１０】
前記ストッパー（３０）は、前記懸垂線（２６）に固定的に取り付けられたクリップの形状であることを特徴とする請求の範囲第９項に記載される装置。
【請求項１１】
前記カーテンの可動の長端における前記コネクター（１５）は、引張線（３１）として使用される前記支持線（１２）と、前記支持線（１２）に実質的に垂直な前記懸垂線（２６）のうちの一つの両方に固定的に取り付けられるよう配置された交差ファスナー（３２）により構成されていることを特徴とする請求の範囲第１項に記載される装置。
【請求項１２】
各交差ファスナー（３２）は、前記支持線（１２）が、前記交差ファスナーに通され、それに固定されるように準備されたガイド面（３３）を有し、
前記交差ファスナー（３２）は、前記懸垂線（２６）と前記カーテン（１４）の一部を取り上げて留めるための前記支持線（１２）に実質的に垂直な溝（３４）を有することを特徴とする請求の範囲第１１項に記載される装置。
【請求項１３】
各前記コネクター（１５）は、留められたクリップ（３０）の形状の前記ストッパーを用いて前記懸垂線（２６）に取り付けられ、
前記クリップ（３０）は、前記コネクター（１５）が一方向に動くことを防ぎ、逆方向には前記懸垂線（２６）に沿って動くことが許容されることを特徴とする請求の範囲第２項に記載される方法。
【発明の詳細な説明】
本発明は、多くの支持線により支持された、少なくとも一つのカーテン、特に温室カーテンを含む、大きい表面、例えばガラス面、成長面又はそれらの類似物を覆う装置に関しており、そのカーテンは、前記カーテンを横切ってカーテンの断面内に組み入れられた多くの懸垂線を含んでいるカーテンを開閉するために、前記支持線に沿って移動可能である。懸垂線はカーテンの長さに沿って自由に移動可能であり、支持線はコネクターを使用する少なくとも一つの、又はいくつかの懸垂線と結合することができる。本発明はまたそのような覆い装置を組み立てる方法に関している。
発明の背景
シェード・カーテンと呼ばれる従来の温室カーテンはガラスの屋根の近くで温室の長さに沿って張られた支持線に掛けられて垂れ下がっている。比較的多くの支持線が必要であり、それらの典型的な間隔は約５０ｃｍである。そのことは高い設備費、長い設置期間、照明の悪さ及び特に大型の温室の場合に多数の鋼線の荷重を支えるのに十分強い温室構造をもたらす。例えば５０ｍ×１００ｍの大型の温室はまれではない。
各支持線の間隔がそのように短い理由は温室カーテンがあまりに弱々しいので布自体に支持フックを含むことができないためである。もし短くしないと、カーテンが開いている時、カーテンは空調の開口部からの風により外側へ引っ張られる。今日まで、この問題は支持線に沿うカーテンの頂部に沿って、すなわちカーテンの幅の方向にストリップを縫いつけることにより軽減されてきた。代案としては縫いつけストリップの代わりに補強テープをそこに接着する方法がある。また、外力に対する抵抗を大きくするためにフックが取り付けられるべき領域において材料を厚くする変形もある。これらの代案のどれもが最適のものではなく、これらの全てが時間と金を消費させ、使用される環境において強度を制限させてきた。
特許出願ＷＯ９２／１２６２１によれば、ストリップ支持フックが取り付けられている材料と一体化されたストリップでカーテンの長さに沿って一定間隔の下に補強された温室用カーテンがすでに知られている。各支持線の間にさほど重要でないたるみのみは許容できるとしても材料が垂れ下がってはならないため、各支持線の間隔は補強ストリップがあったとしても大きくすることはできない。
今一つの問題は、生産中に布が収縮したとしても、布がその長さに沿って収縮することは避けられないことである。温室用の布は１００ｍまで長くすることができ、収縮が０．５％と小さかったとしても、それは０．５ｍにも及び、布に取り付けられた多数のフックが、収縮が始まった時、外側に引っ張られるため構造物が適切に作用するのを妨げるのに十分である。
これに関連して、カーテンが横に引っ張られる時に形成されるパッケージはできるだけ狭いことも重要である。大きなだぶだぶのパッケージは光を弱くし、悪い影響を与える。
特許出願ＳＥ−Ａ−９４０２５２２−８によれば、屋外用の植物保護構造物、すなわち、温室用ではなく、温室用カーテンとは対照的に水封式でなければならない植物保護カーテンが、また知られている。雨水を脇にそらすため、支持線がキャリヤーを介して長手梁に取り付けられているガイド同士の間で張られており、植物保護カーテンは懸垂線同士の間で傾斜チャンネルを形成するよう配置されている。支持線及び懸垂線はそこでは主に構造物全体を壊す可能性のある水ポケットの形成を防ぐためにある。
発明の目的とその最も重要な特性
本発明の目的は上記の不利を排除すること、すなわち、温室の支持線を減らすこと、余分の作業なしにカーテン・クロスの支持点を補強すること、カーテン・クロスの長さに沿った方向の収縮の問題を排除すること、カーテンが横に引っ張られる時のパッケージのサイズを減らすこと、及び支持線を組み立て、カーテンを取り付けるのに必要な作業量を有意義に減らすことである。
覆い装置と関連するこれらの不利は、カーテンの断面内に組み入れられた少なくともいくつかの懸垂線を少なくともいくつかの支持線同士の間で張ることにより、懸垂線がその張っている間にカーテンとコネクターの中で自由に移動し得るようにすることにより、そして、少なくともいくつかのコネクターを懸垂線に取り付けることを可能にすることにより排除されてきた。本発明の今一つの目的は覆い装置の組立てを簡素化することである。これは懸垂線がコネクターに対して移動し得るようにカーテンの断面内に組み入れられた懸垂線にコネクターを取り付けることにより、支持線においてコネクターを使用するカーテンを吊り下げることにより、又は支持線に取り付けられるコネクターとともに支持線上にカーテンを置くことにより、そして懸垂線を少なくとも二つの支持線の間で張って少なくともいくつかのコネクターの所まで張られるようにそれらを取り付けることにより達成されてきた。
図面の説明
本発明は添付図面を参照して以下により詳細に述べ、例示することとする。
第１図は閉位置における第一カーテン部分と隣接部分に開位置における第二カーテン部分を備えた温室の概略的斜視図を示す。
第２図は第１図のII−IIラインで切った断面の拡大図を示す。
第３図は第２図のIII−IIIラインで切った温室カーテンの頂部をさらに拡大した図を示す。
第４図は実際より大きいスケールの、支持線から垂れ下がった二重懸垂線を取り付けたコネクターの例を示す。
第５図は第４図のＶ−Ｖラインで切った断面図を示す。
第６図は開放コネクターを取り付けた例を示すカーテンの一部を切った概略の断面図を示す。
第７図は引張線として機能する支持線の両側に対立する二つの屋根トラスの間のカーテンの一断面で切った第１図のVII−VIIラインに沿う断面図を示す。
第８図は代案タイプのコネクターの一部を示す。
第９図は第８図のIX−IXラインで切った断面図を示す。
第１０図は別の実施例の単一懸垂線とストッパーを備えたコネクターの例を示す。
実施例の説明
第１図は、ガラス要素は図示していないが、ガラス屋根の下及び壁に沿って支持線１２を有する温室の一例を示しており、その支持線１２は温室の両端（図示せず）の間又は他の部分の間例えば屋根トラス１０同士の間や壁柱９同士の間で張っている。温室は温室カーテン１４の最大幅に対応する断面１３ごとに分割されている。かくしてカーテンの長さは温室の長さに対して直角方向に向いている。既知の方法によりカーテン１４は第２図に示すようにコネクター１５を介して支持線１２により支持されている。
第６図に示す例によれば、温室カーテン１４は機織又はかぎ針編みの方法により生産された織糸組織の多数の狭い箔ストリップ２１又はその類似物により構成されている。後者の場合、織糸組織は箔ストリップがカーテンの外へ引っ張られるのを防ぐ、長手方向及び横方向に接続する線２３及び２４，２５を含んでいる。
箔ストリップ２１は透明でも、半透明でも、光吸収性でも、光反射性などでも、及び／又はこれらの組合わせでもよく、また、一部欠けた、空気の通過が可能な開いた張片を形成するものであってもよい。例えば２０〜４０ｃｍの規則正しい間隔で、箔ストリップは懸垂線２６を備え、又は懸垂線２６で置換され、懸垂線２６の幅は箔ストリップの幅と同じか、箔ストリップの幅より幾分小さい。懸垂線２６は引張力を受けている時その長さに沿って移動可能なように織糸組織中に一体化されている。懸垂線２６はカーテンの一部に沿ったコネクター１５からの力を吸収してそれを分散させるためのものである。コネクター１５は懸垂線２６の回りに取り付けることによりカーテンに適切に取り付けられる。その懸垂線２６の材料は高抗張力と低弾性を持たなければならず、例えばＰＶＣのようなポリマー、ポリエステル、金属、又はそれらの類似物のような高い弾性係数の材料の糸２７もしくはストリップで補強された低密度ポリエチレンにより適切に構成される。懸垂線２６が平らな断面を持つことは有利である。
特許出願ＷＯ９２／１２６２１からすでに知られているコネクター１５は実質的にＳ形状のフックにより構成されており、この場合、自由脚１６及び１７の両方が開位置から、自由脚１６，１７が閉鎖ループ１９，２０を形成するコネクターの中央部１８に接続する閉位置まで、弾性的に曲がり得る。カーテン１４はループ穴１９ａに取り付けられており、支持線１２はループ穴２０ａに取り付けられている。ループ１９の内側横断面は懸垂線２６の横断面より十分大きいので、その懸垂線２６はループ１９内を自由に移動することができ、そのループ１９は懸垂線の付加的部分を収容するのに十分大きい。
前記懸垂線２６が挿入される前記フック１９のループ１９ａは、その開位置においてその閉位置よりも大きい面積を持ち、寸法決めされ、前記懸垂線２６の幾つかの部片を挿入する際、前記懸垂線２６の前記部片は、圧縮を受け及び／又は閉じた領域内に留めることが可能である。
カーテン１４を吊り下げる前に、コネクター１５は第６図に示すように例えば４０ｃｍの間隔でカーテン１４の断面内に組み入れられた懸垂線２６の回りに引掛けられ、それによりループ１９を閉じた後、懸垂線２６がカーテン１４に沿って移動するのを可能にするのに十分な空間がループ１９の中にできあがる。ループ２０を開くことにより、フック１５と取り付けられたカーテン１４は屋根と壁にある支持線１２ａ，１２ｂに吊り下げることができ、その後でループは閉じる。支持線１２ｂとおそらく屋根支持線１２ａの或物はカーテンを引張るためのものである。これは、懸垂線を手で引張ることにより、又はレバー機構を使用することにより、達成され、そのため、それらはフック１５同士の間で比較的真直ぐな線を形成する。引張られた懸垂線２６は例えば懸垂線２６をフック１５の脚１６の回りに少なくとも一巻き全部を巻くことにより支持線１２ｂ上に取り付けられたコネクター１５に取り付けられ、そのためループ１９は第４図及び第５図に示すように二巻きの懸垂線２６を保持する。ループ１９のループ穴１９ａは懸垂線２６の二重横断面に関連して寸法決めされており、そのため、それはループ１９が閉じる時圧縮され、そのことはフック１５を懸垂線２６に対して取り付けるのに十分である。
フック１５の回りに線を巻き、それをループ１９内に固定する以外の方法で固定を達成させる他のタイプのコネクター１５は勿論可能である。
各前記コネクター１５は、弾性的に曲げることができる一つのノッチ形状の脚１６を有するフック１５を有し、前記ノッチ形状の脚１６は、第一の開位置及び第二の閉位置を持つように形成され、前記第一の開位置では、前記懸垂線２６が、前記フックの開ループ１９の中に挿入され、前記第二の閉位置では、前記懸垂線２６の単一部片が、その長さ方向に自由に動くことができ、前記懸垂線２６の二つ以上の部片が挿入される時、前記懸垂線２６は前記コネクター１５にしっかりと取り付けることが可能である。
第３図及び第１０図には一つの代案が示されている。この場合、フック１５のループ１９は懸垂線２６がその長手方向に自由に移動し得るように寸法決めされており、そのことはカーテン１４が正しい位置に掛けられるようにカーテン１４を吊り下げる時に必要である。こうして吊り下げられたカーテン１４の懸垂線２６はその時ブレーク点２９同士の間でセクションごとに適切に張られ、その後フック１５、又は少なくともブレーク点２９におけるフック１５は懸垂線２６に取り付けられ、そのため、それらが引張力を吸収することができる。その取付けは温室の内側から行わなければならない。なぜなら、そのガラス部分が外側からの取付けを不可能にしているからである。さらに、もしフック１５が或程度移動し得るならば、すなわち懸垂線２６に絶対的に固定されておらず、温室の形状への接続がより良くなり、柔軟になる方向になお融通性を持って取り付けられるならば、有利である。本発明によれば、これは、第３図で矢印により示すように、張られた懸垂線２６の長さに沿ったフック１５の後に直接ストッパー３０を張られた懸垂線２６に固定することにより達成されてきた。ストッパー３０は特別のペンチを使用してねじ曲げ、懸垂線２６に絶対的に固定された金属クリップである。クリップの固定は温室の内側から迅速に、そして単純に行うことができる。クリップは、もし必要なら、例えば再伸張が必要であれば、クリップを切除することにより、容易に除去することができる。
各前記コネクター１５は、留められたクリップ３０の形状の前記ストッパーを用いて前記懸垂線２６に取り付けられ、前記クリップ３０は、前記コネクター１５が一方向に動くことを防ぎ、逆方向には前記懸垂線２６に沿って動くことが可能である。
ストッパー３０はまた懸垂線２６を取り付けた装置に対して不動な結び紐又は他の物とすることができる。
今一つの代案が第８図及び第９図に示されている。この場合、開くことのできるループ１９のループ穴１９ａは、互いに作用し合う、そして、ループが閉位置にある時懸垂線２６を固定する二つの留め部材２８により構成される。その場合、二つの異なるタイプのコネクターが必要である。その中の一つは懸垂線２６がその長手方向に自由に動くことを可能にし、他の一つは懸垂線２６を固定する。
各前記コネクター１５は、弾性的に曲げることができる一つのノッチ形状の脚を有し、前記ノッチ形状の脚１６は、第一の開位置を持つように形成され、前記第一の開位置では、前記カーテン１４に組み入れられた前記懸垂線２６と共に、前記カーテン１４に組み入れられた前記懸垂線２６が、前記フック１５の開ループ１９の中に挿入され、前記フックの開き得る前記ループ１９は、その内側に留め部材２８を有し、前記留め部材２８の間で前記懸垂線２６が、前記ループ１９の前記開位置で挿入可能であり、前記懸垂線２６は、前記ループ１９の閉位置において前記留め部材２８の間で留めることが可能である。
もし懸垂線２６に十分な融通性がないなら、それはコネクター１５に取り付けることができる。さらに、可能な代案コネクターが既知のセルフロック要素、例えば一方向に引張られる時懸垂線２６をロックし、逆方向に引張られる時それを解放するチャンク又はその類似物の形式のものを使用して作られることができる。コネクター１５は非常に幅狭く、支持線１２の長さに沿って大きくても３〜４ｍｍより大きいスペースを取らないことが重要である。このことは、フック１５の厚みが、もし大き過ぎると不必要に光を遮ることになる、折り畳まれたカーテン１４のパケットの厚みを決定するので、重要である。
少なくとも一つのカーテン（１４）と、前記カーテン（１４）の開閉のために前記カーテン（１４）が移動できるように前記カーテン（１４）を支えるための多くの支持線（１２）と、前記カーテン（１４）の断面内に組み入れられ、前記カーテン（１４）を含む平面内において、前記支持線（１２）の方向に対して垂直方向である前記カーテン（１４）の長手方向に直線状に配列されており、長手方向に沿ってそれぞれ自由に動くことができる多くの懸垂線（２６）と、前記支持線（１２）に通され、前記懸垂線（２６）を保持し、前記カーテン（１４）を吊り下げることが可能な一つ以上のコネクター（１５）と、を有し、二つ以上の前記支持線（１２）間で所望の前記カーテン（１４）の張りを達成するために少なくとも幾つかの前記支持線（１２）間で前記支持線（１２）の方向に対して垂直方向に前記懸垂線（２６）を引っ張り、前記懸垂線（２６）は、前記カーテン（１４）の長手方向に沿って、前記コネクター（１５）が有するループ穴（１９a）を通って自由に動くことが可能で、前記コネクター（１５）のうちの少なくとも幾つかが、前記懸垂線（２６）をロック可能であることを特徴とする大きい表面を覆う装置が作製可能である。
また少なくとも一つのカーテン（１４）を有し、前記カーテン（１４）の開閉のために前記カーテン（１４）が移動できるように前記カーテン（１４）を支えるための多くの支持線（１２）を有し、前記カーテン（１４）の断面内に組み入れられ、前記カーテン（１４）を含む平面内において、前記支持線（１２）の方向に対して垂直方向である前記カーテン（１４）の長手方向に直線状に配列されており、長手方向に沿ってそれぞれ自由に動くことができる多くの懸垂線（２６）を有し、前記支持線（１２）に通され、前記懸垂線（２６）を保持し、前記カーテン（１４）を吊り下げることが可能な一つ以上のコネクター（１５）と、を有し、前記懸垂線（２６）が、前記コネクター（１５）に対して動けるように前記懸垂線（２６）を前記コネクター（１５）が有するループ穴（１９a）に通し、前記支持線（１２）における前記コネクター（１５）を使用して前記カーテン（１４）の断面内に組み入れられた前記懸垂線（２６）を保持し、前記カーテン（１４）を吊り下げ、及び/又は、前記支持線（１２）に通された前記コネクター（１５）と共に前記支持線（１２）上に前記カーテン（１４）を置き、二つ以上の前記支持線（１２）間で所望の前記カーテン（１４）の張りを達成するために少なくとも二つの前記支持線（１２）間で前記支持線（１２）の方向に対して垂直方向に前記懸垂線（２６）を引っ張り、前記懸垂線（２６）を伸張状態で、少なくとも幾つかの前記コネクター（１５）にロック可能であることを特徴とする大きい表面を覆う装置を組み立てる方法を提案する。
カーテン１４の断面内に組み入れられた懸垂線２６は非常に引張られた状態に保つ必要はなく、カーテン１４を実質的に平面状に保ち、束になった状態でカーテン１４を吊り下げるのを防ぎさえずればよい。このことは、カーテン１４が開くべき又は閉じるべき時、フック１５と支持線１２との間で高い摩擦力が発生しないので、フック１５がローラーの代わりに使用することができることを意味する。
懸垂線２６の引張及び懸垂線２６の全長に沿って、したがってカーテン１４のより大きい部分にわたって力を分布させる能力は、支持線１２の数を劇的に減らすことができ、その間隔を従来の０．５ｍから１．０〜３．５ｍまで大きくでき、それがより明るい照明、コストの低減、温室構造物の荷重の低減、装置の簡素化、そしてカーテン寿命のかなりの延長をもたらすという利点を生み出す。
カーテン材料の収縮の問題は解決した。なぜなら、引張の際、カーテン材料は組み入れられた懸垂線に対して動き得るからであり、また、フック１５同士の間に余分の材料があるのでその余分の材料により必要な収縮の補償が提供され得るからである。
或温室においては、幾つかの、又は全部の支持線１２が水平面内にあること、そして、カーテン１４が支持線１２の下のフック１５に吊り下げられる代わりに第２図に示すように支持線１２の頂部に置かれることがある。またこれらの場合、懸垂線２６は上記の方法に対応して張られる。もし、カーテン１４が例えば垂直方向から水平方向に傾くように方向を変化させるブレーク点２９同士の間隔が非常に大きいなら、懸垂線２６をそのブレーク点において支持線に取り付けられるフック１５に接続することは有利となり得る。
カーテン１４の断面内に組み入れられた引張懸垂線２６の使用はまた、カーテン１４を開閉する、カーテン１４の一端にある比較的重い引張ギヤがかなり簡素化され得るという利点をもたらす。本発明によれば、単純な操作で引張線に固定され得る横方向ファスナー１２が引張線３１として機能する支持線１２に結合している。このことは引張線３１が非線形的に横方向ファスナー１２により導かれるように配置されるガイド面３３を持つ横方向ファスナー１２を形成することにより達成される。引張線３１を横切って横方向ファスナー１２は懸垂線２６とカーテン１４の一部が取り付けられ得る溝３４を持っている。最も適切にはその溝は引張線３１が溝から懸垂線２６が離れないようにするために設けられる。
前記カーテンの可動の長端における前記コネクター１５は、引張線３１として使用される前記支持線１２と、前記支持線１２に実質的に垂直な前記懸垂線２６のうちの一つの両方に固定的に取り付けられるよう配置された交差ファスナー３２により装置を構成することが可能である。
また各交差ファスナー３２は、前記支持線１２が、前記交差ファスナーに通され、それに固定されるように準備されたガイド面３３を有し、前記交差ファスナー３２は、前記懸垂線２６と前記カーテン１４の一部を取り上げて留めるための前記支持線に実質的に垂直な溝３４を有することを特徴とする装置が作製可能である。
参照番号リスト
９    壁柱
１０    屋根トラス
１１    温室
１２    支持線
１２ａ  屋根の支持線
１２ｂ  壁に沿った支持線
１３    セクション
１４    温室カーテン
１５    コネクター  ＝  フック
１６    第一脚
１７    第二脚
１８    中央部
１９    ループ
１９ａ  ループ穴
２０    ループ
２０ａ  ループ穴
２１    箔ストリップ
２２    織糸組織
２３    長手方向接続線
２４，２５  横方向接続線
２６    懸垂線
２７    補強線
２８    固定シュー
２９    ブレーク点
３０    ストッパー
３１    引張線
３２    横方向接続部
３３    舵取り面    ３４    溝
【図１】
0004017179.tif 000002
【図２】
0004017179.tif 000003
【図３】
0004017179.tif 000004
【図４】
0004017179.tif 000005
【図１０】
0004017179.tif 000006
【図５】
0004017179.tif 000007
【図６】
0004017179.tif 000008
【図７】
0004017179.tif 000009
【図８】
0004017179.tif 000010
【図９】
0004017179.tif 000011